(57)【要約】【課題】ペットを任意の場所に移動して繋留でき、雨や日射からペットを保護する。【解決手段】所定重量を具備した錘部材１２と、ペット８を繋ぐリード２２の端部を係止可能な係止部１４３が設けられ、傘２０の手元２０ａが嵌入されて傘２０を垂直に支持する支持穴１４４が上端から設けられ、錘部材１２の上面に立設された支柱１４と、を備えている。【選択図】図１
2016059311.tif 000002
【特許請求の範囲】
【請求項１】
所定重量を具備した錘部材と、
ペットを繋ぐリードの端部を係止可能な係止部が設けられ、傘の手元が嵌入されて前記傘を垂直に支持する支持穴が上端から設けられ、前記錘部材の上面に立設された支柱と、
を備えているペット用繋留具。
【請求項２】
前記係止部は、前記支柱に軸心回りに相対回転可能に外嵌された環状回転部に設けられている請求項１に記載のペット用繋留具。
【請求項３】
前記支柱は、前記錘部材の上面の一端部に偏って設けられている請求項１または２に記載のペット用繋留具。
【請求項４】
前記傘の手元の下端部が当接する前記支持穴の底部には、下方に向って内径が徐々に小さくなる前記支持穴と同軸のテーパ面が設けられている請求項１乃至３のいずれか１項に記載のペット用繋留具。
【請求項５】
前記支持穴の上部は、内周壁の内径が上端に向かって徐々に大きくなるテーパ状に設けられ、
外周には前記内周壁に内嵌される外周壁部が形成され、軸心には傘の中棒が貫通される貫通穴が形成され、前記外周壁部と前記貫通穴との間を所定の溝幅で半径方向に連通させる切欠き溝部が形成された弾性体からなる支持蓋部材をさらに備える請求項１乃至４のいずれか１項に記載のペット用繋留具。
【発明の詳細な説明】
【技術分野】
【０００１】
本発明は、ペットをリードで繋留する繋留具に関する。
【背景技術】
【０００２】
従来、犬等のペットを屋外で飼うときには、ペット自体の保護やペットが他人に迷惑をかけるのを防止するため、ペットをケージに入れたり、地面に打込んだ杭等にリード（ペットを繋ぐ紐）や鎖で繋いだりする場合が多い。
このような、ペットをいつも同じ場所に束縛することとは、ペットにストレスを生じさせるため、また、飼い主の都合により、ペットを他の場所に移動する必要がある。しかし、ペットを移動させるためには、ケージや杭を移動させる必要があるが、ケージや杭の移動は困難であり、杭の代わりに立ち木や家の付属物などに繋留すると立ち木や付属物をリードや鎖で傷めるおそれがあり、ペットを屋外の任意の場所に移動して支障なく繋留することができない場合があった。
【０００３】
特許文献１には、犬を繋留可能な突出部が形成された錘部材からなる繋留具が記載されている。この繋留具は、錘部材の部分が円盤状に形成され、円盤の中心より上方に突出した突出部が形成されている。この錘部材の１つ分は、持ち運び可能な重さである。この突出部の基端部と円盤状の外周部とには、リードを繋留可能とする環状凹溝が形成されている。そして、持ち運び可能な錘部材を移動させ、犬を任意の場所に係留することができるとする。また、円盤状の錘部材の底部に突出部が嵌入可能な穴を穿設し、複数の錘部材を重ねられるようにすることで、犬の引っ張る力に応じて、繋留する錘部材の重さを調節できるようにしている。
【先行技術文献】
【特許文献】
【０００４】
【特許文献１】実用新案登録第３０２５５４６号公報
【発明の概要】
【発明が解決しようとする課題】
【０００５】
上述した特許文献１に記載されている犬の繋留具においては、ペットを屋外に繋留した場合、屋外の天候による変化に応じて、雨や強い日射からペットを保護する点について何ら記載されていない。
【０００６】
本発明は、上述した問題を解消するためになされたもので、ペットを任意の場所に移動して繋留でき、雨や日射からペットを保護することを目的とする。
【課題を解決するための手段】
【０００７】
上記の課題を解決するために、本発明のペット用繋留具は、所定重量を具備した錘部材と、ペットを繋ぐリードの端部を係止可能な係止部が設けられ、傘の手元が嵌入されて傘を垂直に支持する支持穴が上端から設けられ、前記錘部材の上面に立設された支柱と、を備えている。
【発明の効果】
【０００８】
本発明によると、錘部材を移動することでペットを任意の場所に繋留することができるとともに、支柱の支持穴に傘の手元を嵌入し、支柱に支持された傘を開くことで、ペットを雨や強い日射から保護することができる。
【図面の簡単な説明】
【０００９】
【図１】本発明の実施形態によるペット用繋留具の使用状態を示した全体概要図である。
【図２】ペット用繋留具の組み付け状態を説明する斜視図である。
【図３】ペット用繋留具に支持される傘の手元を示す部分図である。
【図４】ペット用繋留具にリードを繋留した状態で示す平面図である。
【図５】図４のV-V断面図である。
【図６】支持蓋部材の平面図である。
【図７】支持蓋部材の切欠き溝部側から見た正面図である。
【図８】錘部材に膨張部を加えた他のペット用繋留具の実施例を示す図である。
【図９】錘部材を容器とした他のペット用繋留具の実施例を示す図である。
【図１０】支持穴の底部におけるテーパ面の他の実施例を示す部分断面図である。
【発明を実施するための形態】
【００１０】
＜実施形態＞
以下、図１〜図７に基づき、本発明のペット用繋留具の実施形態について説明する。図１に示すように、本実施形態によるペット用繋留具１０は、主に錘部材１２および支柱１４から構成される。錘部材１２は、図２に示すように、高さの低い直方体の金属の塊で形成されている。金属として、例えば、鉄やアルミニウムが使用される。錘部材１２は、繋留されるペット８の体重、引っ張る力に応じて、例えば、１０〜３０ｋｇの重量が選択できる。
【００１１】
錘部材１２のほぼ方形状の上面の一辺の中央部に接する位置に、支柱１４が設けられている。
支柱１４は、錘部材１２と一体に形成された支柱軸１４１、環状回転部１４２、係止部１４３、および支持穴１４４含んで構成される。
支柱軸１４１は、支柱軸本体１４１ａと段部１４１ｂとから主に構成されている。支柱軸本体１４１ａは、上端が開放した円筒状に形成され、支柱軸本体１４１ａの基端部には一定の幅で支柱軸本体１４１ａより外径が大きい段部１４１ｂが形成されている。支柱軸本体１４１ａの上部側壁には抜け止めねじ１６が螺合する雌ねじ孔１４１ｃが螺設されている。抜け止めねじ１６は、支柱軸１４１に環状回転部１４２を外嵌した後に雌ねじ孔１４１ｃに締結される。締結された抜け止めねじ１６の頭部が環状回転部１４２の上端に当接することで、環状回転部１４２が支柱軸１４１より抜脱しないように構成されている。抜け止めねじ１６は、緩み防止のためのワッシャを、ねじ頭部と支柱軸１４１の側面との間に挟んでいる。
支柱軸１４１の上端面には傘２０を支持する支持穴１４４が垂直に穿設されている。支持穴１４４の上部には、上端に向かって内周壁部の内径が徐々に大きくなる入口テーパ面１４４ｂが形成されている。この入口テーパ面１４４ｂが、特許請求の範囲に記載の内周壁の内径が上端に向かって徐々に大きくなるテーパ状に相当する。
【００１２】
支持穴１４４の底部は、図５に示すように、平らに形成されるとともに、支持穴１４４の内径より小さな内径の水抜き穴１４４ｃが貫設されている。水抜き穴１４４ｃの上端縁には、下方に向かって徐々に内径が小さくなるテーパ面１８ａを上面側に備えた底部テーパ部材１８が内嵌されている。特許請求の範囲に記載された「支持穴の底部に設けられるテーパ面」は、支持穴１４４の底部に対して直接的および間接的に設けられるものの両方を含むものである。底部テーパ部材１８のテーパ面１８ａが、特許請求の範囲に記載のテーパ面に相当する。底部テーパ部材１８は、例えばゴム製であり、傘２０が挿入されて支持穴１４４の底部に当接する際の傘２０の手元２０ａの傷つき防止と、傘２０の手元２０ａの下端部が支持穴１４４の底部に当接した状態での傘２０のガタつき防止とを図る。
【００１３】
支柱軸１４１には円筒状の環状回転部１４２が、支柱軸１４１に対して相対回転自在に外嵌されている。環状回転部１４２は、例えば、鉄等の金属製である。
環状回転部１４２の側面には、係止部１４３が突設されている。
係止部１４３は、係止支持棒１４３ａと抜け止め棒１４３ｂとにより構成される。係止支持棒１４３ａは、例えば鉄製の細い棒状部材であり、環状回転部１４２の側面に基端部が溶接等により水平に固定され、先端部に向かって上方に湾曲して延在するよう形成されている。抜け止め棒１４３ｂは、図２に示すように、係止支持棒１４３ａの先端部に、係止支持棒１４３ａに対して直角にかつ水平方向に対して平行に溶接等により設けられている。
【００１４】
係止部１４３には、図５に示すように、リード２２の端部の輪状部２２ａが係止され、抜け止め棒１４３ｂによって、係止されたリード２２が抜けることが防止される。
支持穴１４４には、傘２０を手元２０ａから挿入した後に、図５に示すように、支持蓋部材２４が嵌入される。支持蓋部材２４は、例えばゴム製であり、図６および図７に示すように、上下方向の外形を形成する外周壁部２４ａ、貫通穴２４ｂ、切欠き溝部２４ｃを有し、上端から下端に向かって外周壁部２４ａの外径が小さくなるテーパの付いた扁平な円柱状に形成されている。外周壁部２４ａは、支持穴１４４の入口テーパ面１４４ｂに内嵌可能に形成されている。貫通穴２４ｂは、外周壁部２４ａの軸心２４ｄに沿って傘２０の中棒２０ｂが貫通可能に形成されている。切欠き溝部２４ｃは、貫通穴２４ｂおよび外周壁部２４ａの上端から下端に亘って貫通穴２４ｂと外周壁部２４ａとの間を所定の溝幅で半径方向に切り欠いて形成されている。切欠き溝部２４ｃは、外周壁部２４ａの軸心２４ｄに沿って切り欠かれている（図６参照）。支持蓋部材２４は、水平方向に切断した断面がＣ字状に形成されている。
【００１５】
（組み立て手順と使用方法）
まず、錘部材１２を安定した平らな場所に置く。次に、環状回転部１４２の軸心を支柱軸１４１の軸心と同軸になるように位置決めし、支柱軸１４１の上方から環状回転部１４２を接近させて支柱軸１４１に外嵌する。外嵌された環状回転部１４２の下端部は、段部１４１ｂの上面に当接した状態で保持され、環状回転部１４２の上端部は、支柱軸１４１の側面に設けられた雌ねじ孔１４１ｃの少し下方に位置するよう構成されている。
【００１６】
次に、締結器具でワッシャを嵌装した抜け止めねじ１６を保持し、抜け止めねじ１６を雌ねじ孔１４１ｃに挿入して締結する。抜け止めねじ１６の頭部の外周は、環状回転部１４２の上端部といくらかの隙間を設けて締結される。これによって、環状回転部１４２は、支柱軸１４１に対して回転可能に外嵌され、かつ支柱軸１４１からの抜脱防止が図られて保持される。
【００１７】
次に、傘２０を支持穴１４４に挿入する。挿入する傘２０は、例えばビーチパラソルやゴルフ用パラソルのように、手元２０ａの形状がストレートなタイプを予め用意しておく。
傘２０の手元２０ａを支持穴１４４の奥まで挿入すると、手元２０ａの下端部が底部テーパ部材１８の上面に設けられたテーパ面１８ａに当接する。手元２０ａの下端部の外径が大きいときには、上に行くほど内径が広がったテーパ面１８ａの上部で手元２０ａの下端部が当接し、手元２０ａの下端部の外径が小さいときには下に行くほど内径が小さくなったテーパ面１８ａの下部で手元２０ａの下端部が当接する。
このように、手元２０ａの外径の大小にかかわらず弾性材である底部テーパ部材１８が手元２０ａの下端部に当接し、ガタを生じることなく傘２０の手元２０ａをしっかりと保持する。
【００１８】
次に、外径の小さな方を下に向けた支持蓋部材２４を、傘２０が挿入された支持穴１４４に嵌め込む。支持蓋部材２４の切欠き溝部２４ｃを傘２０の中棒２０ｂに合わせ、支持蓋部材２４を中棒２０ｂに貫通穴２４ｂまで押し込むようにして進入させる。支持蓋部材２４を中棒２０ｂに沿って下降させ、支持蓋部材２４を支持穴１４４に嵌め込む。支持穴１４４の上部は内周壁の内径が上端に向かって徐々に大きくなるテーパ状に設けられている。そのため、支持蓋部材２４を支持穴１４４の奥に挿入するほど、支持蓋部材２４の外周壁部２４ａが支持穴１４４の内周壁に押しつぶされ、これによって支持蓋部材２４の貫通穴２４ｂが押し狭められる。中棒２０ｂの外径が小さい場合においては、支持蓋部材２４を支持穴１４４の奥まで押し入れることで、ガタを生じることなく傘２０の中棒２０ｂをしっかりと保持することができる。傘２０の下はじき２０ｃが、中棒２０ｂの側面下部に設けられている場合には、切欠き溝部２４ｃを下はじき２０ｃに合わせ、下はじき２０ｃを円周方向両側から外周壁部２４ａで挟持することで、下はじきによる支持穴１４４の内周壁への接触を防止する。
【００１９】
上記のように記載されたことで明らかなように、本実施形態のペット用繋留具１０は、所定重量を具備した錘部材１２と、ペット８を繋ぐリード２２の端部を係止可能な係止部１４３が設けられ、傘２０の手元２０ａが嵌入されて傘２０を垂直に支持する支持穴１４４が上端から設けられ、錘部材１２の上面に立設された支柱１４と、を備えている。
これによると、錘部材１２を移動することでペット８を任意の場所に繋留することができるとともに、支柱１４の支持穴１４４に傘２０の手元２０ａを嵌入し、支柱１４に支持された傘２０を開くことで、ペット８を雨や強い日射から保護することができる。
【００２０】
また、係止部１４３は、支柱１４に軸心回りに相対回転可能に外嵌された環状回転部１４２に設けられている。
これによると、リード２２が繋留される係止部１４３が支柱１４の回りを回転可能なので、ペット８が支柱１４の回りを回転する動きをしても、リード２２の端部もペット８の動きに応じて回転し、リード２２が支柱１４に巻き付くことがない。その結果、ペット８の動きを狭めることなく、ペット８がいつまでも広い範囲で動き回ることができる。また、係止部１４３は、支柱１４に外嵌された環状回転部１４２に設けられているので、傘２０を支持穴１４４に支持した状態で、ペット８のリード２２を係止したり係止を解除したりすることができる。
【００２１】
また、支柱１４は錘部材１２の上面の一端部に偏って設けられている。
これによると、支柱１４を錘部材１２の一端部に偏らせた分だけ、ペット８の居場所を広く取ることができる。
【００２２】
また、傘２０の手元２０ａの下端部が当接する支持穴１４４の底部には、下方に向って内径が徐々に小さくなる支持穴１４４と同軸のテーパ面を有する底部テーパ部材１８が設けられている。
ペット用繋留具１０は、支持穴１４４の底部にテーパ面を有する底部テーパ部材１８を設けることで、傘２０の手元２０ａの径が大の場合には、傘２０の手元２０ａの下端部が底部テーパ部材１８のテ−パ面の上部に当接して傘２０を安定して保持する。また、傘２０の手元２０ａの径が小の場合には、手元２０ａの下端部が、底部テーパ部材１８のテーパ面の下部に当接して傘２０を安定して保持する。このように、本願のペット用繋留具１０は、手元２０ａの径の大小にかかわらず手元の下端部と支持穴１４４の底部との間にガタを生じさることなく傘２０を安定して支持することができる。
【００２３】
また、支持穴１４４の上部は、内周壁の内径が上端に向かって徐々に大きくなる入口テーパ面１４４ｂが設けられ、外周には支持穴１４４の入口テーパ面１４４ｂに内嵌される外周壁部２４ａが形成され、軸心２４ｄには傘２０の中棒２０ｂが貫通される貫通穴２４ｂが形成され、外周壁部２４ａと貫通穴２４ｂとの間を所定の溝幅で半径方向に連通させる切欠き溝部２４ｃが形成された弾性体からなる支持蓋部材２４をさらに備える。
【００２４】
これによると、支持蓋部材２４は支持穴１４４の内周壁の入口テーパ面１４４ｂによって、下方に深く押し込むほど貫通穴２４ｂの内径が小さくなる。これにより、傘２０の中棒２０ｂの太さに応じて支持蓋部材２４を押し込む量を調整することで、中棒２０ｂがどのような太さの傘２０であっても、ガタを生じることなくしっかりと支持することができる。また、中棒２０ｂの下部に傘２０の開閉を操作する下はじき２０ｃが設けられている場合、傘２０を支持穴１４４に挿入する際に、下はじき２０ｃを切欠き溝部２４ｃに合わせることで、下はじき２０による支持穴１４４への干渉を防止することができる。
【００２５】
なお、上述した実施形態において係止部１４３は、支柱１４に軸心回りに相対回転可能に外嵌された環状回転部１４２に設けられたものとしたが、これに限定されず、例えば、係止部を支柱の側面より突設させてもよい。これによって、傘を支柱で支持した状態で、犬を繋ぐリードの端部の係脱を自在におこなうことができる。
【００２６】
また、錘部材１２を高さの低い直方体の金属の塊としたが、これに限定されず、例えば円盤状のセラミックス製でもよい。錘部材が円盤状の場合には、支柱は、円形の上面の円周付近の一端部に偏って設けられる。
また、図９に示すように、錘部材３２０は、例えば、アルミ合金などの軽金属製の容器３２０ａに水を入れて錘として使用するものでもよい。容器３２０ａの上面には、水を入れる入水口３２０ｂ及び入水口３２０ｂの開閉を行う捩じ込み蓋３２０ｂ１が設けられている。容器３２０ａの１側面の下部には水を抜く出水口３２０ｃ及び出水口３２０ｃの開閉を行う捩じ込み蓋３２０ｃ１が設けられている。このペット用繋留具３００の場合、ペット用繋留具３００を移動する際には、容器３２０ａを空にして運搬し、ペット８を繋留したい場所にペット用繋留具３００を配置した後に、例えばホースやジョウロで水を入水口３２０ｂから容器３２０ａに入れることで、錘部材としての作用を発揮させることができる。繋留場所を変更する場合には、出水口３２０ｃから水を抜いて容器３２０ａを空にすることで、腕の力が弱い者でもペット用繋留具３００を容易に運搬することができる。なお、水を入れて錘部材とする容器は、軽量金属製のものに限定されず、例えば、プラスチック製でもよく、容器には水の代わりに砂や砂利を入れてもよい。
【００２７】
また、支柱１４は、錘部材１２の一端部に偏って設けられるものとしたが、これに限定されず、例えば、錘部材の中央部より突出させてもよい。
支柱１４を錘部材の一端部に偏って設けた場合において、図８に示すように、支柱１４が設けられた錘部材１２０の一端部の反対側の端部に錘膨張部１２０ａを設けたペット用繋留具１００としてもよい。これにより、錘部材１２０の重心を支柱１４が設けられた一端部より離すことで、傘２０が支持された場合の錘部材１２０による安定性の増大を図ることができる。
傘２０の手元２０ａの下端部が当接する支持穴１４４の底部に設けるテーパ面を、ゴム製の底部テーパ部材１８により形成されたものとしたが、これに限定されず、例えば、図１０に示すように、金属製のコイルスプリング４０の内径が下方に向かって徐々に小さくなるようテーパ状に並べられて構成されたものでもよい。
また、傘２０の手元２０ａの下端部が当接する支持穴１４４の底部に設けるテーパ面を、別体の底部テーパ部材１８としたが、必ずしもこれに限定されず、例えば支持穴の底部自体にテーパ面を設けてもよい。
【００２８】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００２９】
８…ペット、１０…ペット用繋留具、１２…錘部材、１４…支柱、１４１…支柱軸、１４２…環状回転部、１４３…係止部、１４４…支持穴、１４４ｂ…入口テーパ面（テーパ状の内周壁）、１８…底部テーパ部材（テーパ面）、２０…傘、２０ａ…手元、２０ｂ…中棒、２２…リード、２４…支持蓋部材、２４ａ…外周壁部、２４ｂ…貫通穴、２４ｃ…切欠き溝部、２４ｄ…軸心、１００…ペット用繋留具、１２０…錘部材、３００…ペット用繋留具、３２０…錘部材。
【図１】
2016059311.tif 000003
【図２】
2016059311.tif 000004
【図３】
2016059311.tif 000005
【図４】
2016059311.tif 000006
【図５】
2016059311.tif 000007
【図６】
2016059311.tif 000008
【図７】
2016059311.tif 000009
【図８】
2016059311.tif 000010
【図９】
2016059311.tif 000011
【図１０】
2016059311.tif 000012